(57)【要約】      （修正有）【課題】構成が簡便で安価な構成のフレコンを容易に開封させることのできるフレコンの開封方法と装置を提供する。【解決手段】フレコン１を待機位置から吊り上げ、横移動させ、開封位置Ｐ２に移動させ、下方に位置させた開封刃体３に向けてフレコンを下降させてフレコンの底部を開封刃体に突き刺すようにし、開封させる。【選択図】図１
2018131260.tif 000002
【特許請求の範囲】
【請求項１】
底部に開口構造を備えたタイプ及び開口構造を備えていないタイプにも適用できるフレコンを開封するためのフレコンの開封方法であって、
袋状に構成されたフレコン（１）を待機位置（Ｐ１）から吊り上げ、横移動させ、開封位置（Ｐ２）に移動させ、
下方に位置させた平面視Ｃ形の開封刃体（３）に向けてフレコン（１）を下降させてフレコン（１）の底部を開封刃体（３）に突き刺すようにし、
しかる後にフレコン（１）を僅かに吊り上げ再び開封刃体（３）に突き刺すように下降させ、かかる上下動作を少なくとも２回以上行うようにし、
以て、底部を底面視で略Ｃ形に切開して、前記フレコン（１）の底部から排出された収容物を回収するようにしたことを特徴とするフレコンの開封方法。
【請求項２】
底部に開口構造を備えたタイプ及び開口構造を備えていないタイプにも適用できるフレコンを開封するためのフレコンの開封装置であって、
袋状に構成されたフレコン（１）を待機位置（Ｐ１）から昇降機構（４）により吊り上げ、横移動させ、開封位置（Ｐ２）に移動させるように構成し、
前記開封位置（Ｐ２）の下方に先端が鋭利で且つ先端の下部に平面視Ｃ形の傾斜刃（３Ａ）を有する開封刃体（３）を設け、
前記昇降機構（４）の操作によってフレコン（１）を下降させてフレコン（１）の底部（１Ａ）を開封刃体（３）に突き刺すようにして開封するように構成し、
以て、フレコン（１）の底部から排出された収容物を回収するように構成してあることを特徴とするフレコンの開封装置。
【請求項３】
前記昇降機構（４）を少なくとも２回昇降させるように構成してフレコン（１）の底部（１Ａ）を前記開封刃体（３）に突き刺すようにして開封するように構成したことを特徴とする請求項２に記載のフレコンの開封装置。
【請求項４】
前記開封刃体（３）が、少なくともその先端部が正面視で略三角形を呈する形状に構成され、その先端部が垂線に対して、２０度乃至３０度の鋭角に構成され、且つ、少なくともその先端部において稜線縁部が鋭利な刃体で構成されていることを特徴とする請求項２又は請求項３に記載のフレコンの開封装置。
【発明の詳細な説明】
【発明の詳細な説明】
【技術分野】
【０００１】  本発明は、粉体、粒体、塊状体などの収容物を収容して運搬、搬送するフレコンの事後処理を行うためのフレコンの開封方法乃至フレコンの開封装置に関する。
【背景技術】
【０００２】  フレコン（フレキシブルコンテナで、以下、フレコンと略称する）は、３００ｋｇ乃至１０００ｋｇの粉体、粒体、塊状体を対象とした搬送、輸送用の収容容器として、不使用時には折り畳みできるもので、一般に樹脂製で安価であるところから、最近に至って普及されてきた。【０００３】  こうしたフレコンは、輸送後、目的地において開封が行われるが、底部に開口構造を備えたタイプ及び開口構造を備えていないタイプが存在するが、底部に開封手段を備えない安価なタイプのものでは、フレコンを切断して開封するのが一般的である。こうした開封手段としては、例えば、次の技術が知られている。【０００４】
【特許文献１】特開２００９−９６５４５
【特許文献２】特開２００５−６７６２５
【特許文献３】特開２０１５−３７６４
【発明の概要】
【発明が解決しようとする課題】
【０００５】  上述した従来技術にあっては、収容物を所要の量だけコンパクトに収容して搬送する点において、一定容積のコンテナに比して非常に経済性に優れ、搬送取り扱い上も便利であるが、底部に開口構造を備えたタイプにあっては、フレコンの搬送後の収容物の回収のための開封、回収に手間取り、効率的でないという問題があった。
これまでに、上記特許文献３に記載の如きフレコンの底部を機械的な手段で切開する装置も提案されているが、機構が複雑で、高価につくと共に時間を要するという問題点もあった。特に、底部に開口構造を備えたタイプにあっては、紐結び等の開口手段を解いて開口するには手間取ると共に底部を水平に切り落とすことが可能な複雑な稼働タイプの機構のものであれば、開口自体が簡単であるが、高価につくという問題があり、底部を切り裂く簡単な固定構造の刃体では、前記紐等の開口手段に引っかかり、スムースに開口し難いという問題があった。従って、フレコンの底部に開口手段を備えたものでも、開口手段を備えないものでも容易に開口可能な手段が要求されてきた。【０００６】  本発明は、かかる問題点に鑑み、構成が簡便で安価な構成のフレコンを容易に開封させることのできるフレコンの開封方法と装置を提供することを目的とする。
【課題を解決するための手段】
【０００７】  本発明にかかるフレコンの開封方法は、上記目的を達成するために、底部に開口構造を備えたタイプ及び開口構造を備えていないタイプにも適用できるフレコンを開封するためのフレコンの開封方法であって、
袋状に構成されたフレコン（１）を待機位置（Ｐ１）から吊り上げ、横移動させ、開封位置（Ｐ２）に移動させ、
下方に位置させた開封刃体（３）に向けてフレコン（１）を下降させてフレコン（１）の底部を開封刃体（３）に突き刺すようにし、
しかる後にフレコン（１）を僅かに吊り上げ再び開封刃体（３）に突き刺すように下降させ、かかる上下動作を少なくとも２回以上行うようにし、
以て、底部を底面視で略Ｃ形に切開して前記フレコン（１）の底部から排出された収容物を回収するようにしたことを特徴とする。【０００８】  また、本発明にかかるフレコンの開封装置は、上記目的を達成するために、フレコンを開封するためのフレコンの開封装置であって、
袋状に構成されたフレコン（１）を待機位置（Ｐ１）から昇降機構（４）により吊り上げ、横移動させ、開封位置（Ｐ２）に移動させるように構成し、
前記開封位置（Ｐ２）の下方に先端が鋭利で且つ先端の下部に傾斜刃（３Ａ）を有する開封刃体（３）を設け、
前記昇降機構（４）の操作によってフレコン（１）を下降させてフレコン（１）の底部（１Ａ）を開封刃体（３）に突き刺すようにして開封するように構成し、
以て、フレコン（１）の底部から排出された収容物を回収するように構成してあることを特徴とする。
【発明の効果】
【０００９】  本発明の方法及び装置によれば、開封刃体を所定位置に設置するだけで、これに対してフレコンを下降させ、その底部に突き刺し、切開することで容易に開封を行うことができるに至ったもので、機械的な開封機構を必要とすることなく、簡単、容易に収容物の回収を行うことができる利点がある。
そして、開封刃体は、先端が鋭利な構造物とし、その傾斜陵線に刃を形成するだけで、開封を行うことができるのである。特に、先端の傾斜が鉛直に対して２０度乃至３０度の角度とすることで、開封がスムースに行い得ることが分かった。本発明においては、特に、フレコンの昇降動作だけで開封を行い得るので、開封操作が非常に簡単である。
【図面の簡単な説明】
【００１０】
【図１】本発明にかかるフレコンの開封装置の全体の正面図。
【図２】本発明にかかるフレコンの開封装置の全体の側面図。
【図３】本発明にかかるフレコンの開封装置の全体の平面図。
【図４】本発明にかかるフレコンの開封装置の一作用を説明する正面図。
【図５】本発明にかかるフレコンの開封装置の一作用を説明する正面図。
【図６】本発明にかかるフレコンの開封装置の一作用を説明する正面図。
【図７】本発明にかかるフレコンの開封装置の一作用を説明する正面図。
【図８】本発明にかかるフレコンの開封装置の一作用を説明する正面図。
【図９】本発明にかかるフレコンの開封装置の開封刃体の正面図。
【図１０】本発明にかかるフレコンの開封装置の開封刃体の側面図。
【図１１】本発明にかかるフレコンの開封装置の開封刃体の平面図。
【発明を実施するための好適実施形態】
【００１１】    本発明の実施に際しては、次の形態が好ましい。
先ず、前記昇降機構（４）を少なくとも２回昇降させるように構成してフレコン（１）の底部（１Ａ）を前記開封刃体（３）に突き刺すようにして開封するように構成するのが好ましい。
このような開封操作よって、機械的な切開方法ではないが、容易に切開できることが判明した。
【００１２】  また、前記開封刃体（３）が、少なくともその先端部が正面視で略三角形を呈する形状に構成され、その先端部が垂線に対して、２０度乃至３０度の鋭角に構成され、且つ、少なくともその先端部において稜線縁部が鋭利な刃体で構成されていることが好ましい。
このように構成することで、開封刃体が簡略な構造であっても、フレコンの重量に耐えて、その底部の切開を行い得ることが分かり、また、昇降動作の繰り返しによって簡単に底部の切開を行い得ることが確かめられた。
【実施例】
【００１３】  本発明に係るフレコンの開封方法と開封装置の好適実施例について図面を参照して詳述する。
此処に言うフレコンとは、３００ｋｇ乃至１０００ｋｇの粉体、粒体、塊状体を対象とした搬送、輸送用の収容容器として、不使用時には折り畳みできるもので、一般に樹脂製で安価なもので、目的地において底部切開後、使い捨てとなるタイプのものである。そして、このフレコンは、ここでは、底部に開口手段を備えていないタイプのものを対象としているが、開口手段を備えたものであってもよい。
図１から図３及び図９から図１１に示すように、フレコンを開封するためのフレコンの開封装置であって、袋状に構成されたフレコン１を待機位置Ｐ１から昇降機構４（ホイスト）により吊り上げ、横移動させ、開封位置Ｐ２に移動させるように構成してある。【００１４】  そして、図９から図１１に示すように、前記開封位置Ｐ２の下方に先端が鋭利で且つ先端の下部に、平面視Ｃ形の傾斜刃３Ａを有する開封刃体３を設ける。この開封刃体３は、金属板を湾曲させ、折曲げて構成してある。
前記開封刃体３は、少なくともその先端部が正面視で略三角形を呈する形状に構成され、その先端部が垂線に対して、２０度乃至３０度、ここでは２５度の鋭角に構成され、且つ、少なくともその先端部において稜線部、即ち、傾斜辺が鋭利な傾斜刃３Ａで構成されているのである。この刃体３によって、フレコン底部に底面視で略Ｃ形の切り裂きを形成する構成とされている。３Ｂは、刃体３のくり抜き開口で、フレコン１の収容粉体等の落下を行い易くするためのものである。【００１５】  そして、前記昇降機構４の操作によってフレコン１を下降させてフレコン１の底部１Ａを開封刃体３に突き刺すようにして開封するように構成し、以て、フレコン１の底部から排出された収容物を回収するように構成してある。
この際、前記昇降機構４を少なくとも２回昇降させるように構成してフレコン１の底部１Ａを前記開封刃体３に繰り返し突き刺すようにして開封するように構成してある。【００１６】  本発明の方法は、図４から図８に示すように、フレコンを開封するためのフレコンの開封方法であって、袋状に構成されたフレコン１を待機位置Ｐ１から吊り上げ、横移動させ、開封位置Ｐ２に移動させ、下方に位置させた開封刃体３に向けてフレコン１を下降させてフレコン１の底部を開封刃体３に突き刺すようにし、しかる後にフレコン１を僅かに吊り上げ再び開封刃体３に突き刺すように下降させ、かかる上下動作を少なくとも２回以上行うようにし、以て、前記フレコン１の底部から排出された収容物を回収するのである。【００１７】  図４は、フレコン１を待機位置Ｐ１から昇降機構４（ホイスト）によって吊り上げる工程を示す。図中、５は、フレコン１の底部を受ける収容部であり、この中に開封刃体３が設置されている。６は、収容部５の下方の案内用のホッパーであり、フレコン１の底部から落下する粉体を受け止め、下方の適宜の容器へのガイドとなる。【００１８】  図５は、フレコン１を吊り上げた後に、横移動させ、開封位置Ｐ２に向けて移動させる状態を示す。図６は、フレコン１を開封位置Ｐ２において開封刃体３に向けて下降させる状態を示す。図７は、フレコン１を下降させ、その底部に開封刃体３を突き刺した状態を示す。図８は、下降させたフレコン１を再度吊りあげた状態を示し、この昇降を少なくとも２回は繰り返し、底部に平面視Ｃ形の切り裂きを形成して、内部の粉体の排出をスムースに行うようにする。
【産業上の利用可能性】
【００１９】  本発明にかかるフレコンの開封方法及び装置は、各種フレコン、特に、使い捨てのフレコンに対して適用可能で、種々の産業分野において適用可能で、その応用範囲は広い。
【符号の説明】
【００２０】１：フレコン
３：開封刃体
３Ａ：傾斜刃
４：昇降機構
Ｐ１：待機位置
Ｐ２：開封位置
【図１】
2018131260.tif 000003
【図２】
2018131260.tif 000004
【図３】
2018131260.tif 000005
【図４】
2018131260.tif 000006
【図５】
2018131260.tif 000007
【図６】
2018131260.tif 000008
【図７】
2018131260.tif 000009
【図８】
2018131260.tif 000010
【図９】
2018131260.tif 000011
【図１０】
2018131260.tif 000012
【図１１】
2018131260.tif 000013